(57)【要約】【課題】より簡単に装着することを可能とする紐靴用雨除け器具を提供することである。【解決手段】足の甲に対応する靴のアッパー部に設けられる複数の鳩目６を通り、最上部に設けられる一対の鳩目上で結び目が形成される紐を有する紐靴に着脱可能な紐靴用雨除け器具であって、前記足の甲を覆う雨除カバー部材と、前記雨除カバー部材と前記足の甲との間に位置するように前記雨除カバー部材に固定される固定部と、前記紐に引掛けられる引掛け部とを有する係合部と、を備え、前記雨除カバー部材は、通常時は前記引掛け部を覆い、前記引掛け部を前記紐に引掛ける際に前記引掛け部を露出可能に回動する回動部を有することを特徴とする。【選択図】図１
2019088520.tif 000002
【特許請求の範囲】
【請求項１】
足の甲に対応する靴のアッパー部に設けられる複数の鳩目を通り、最上部に設けられる一対の鳩目上で結び目が形成される紐を有する紐靴に着脱可能な紐靴用雨除け器具であって、
前記足の甲を覆う雨除カバー部材と、
前記雨除カバー部材と前記アッパー部との間に位置するように前記雨除カバー部材に固定される固定部と、前記紐に引掛けられる引掛け部とを有する係合部と、
を備え、
前記雨除カバー部材は、通常時は前記引掛け部を覆い、前記引掛け部を前記紐に引掛ける際に前記引掛け部を露出可能に回動する回動部を有することを特徴とする紐靴用雨除け器具。
【請求項２】
請求項１に記載の紐靴用雨除け器具において、
前記結び目がリボン結びの結び目である場合に
前記引掛け部は、前記結び目を避けつつ前記リボン結びのリボン部に引掛けられる第１引掛け部と、
前記アッパー部に跨るように設けられた一対の鳩目に通されたクロス部に引掛けられる第２引掛け部と、
を備えることを特徴とする紐靴用雨除け器具。
【請求項３】
請求項１または請求項２に記載の紐靴用雨除け器具において、
前記雨除カバー部材は、前記アッパー部を覆う領域のうち回動部以外の領域において突起部を有し、
前記係合部は、前記突起部が嵌合される貫通孔を有していることを特徴とする紐靴用雨除け器具。
【発明の詳細な説明】
【技術分野】
【０００１】
本発明は、紐靴用雨除け器具に関する。
【背景技術】
【０００２】
従来、天気予報などにおいて大雨が予測されている場合は、雨天用の長靴などを履いて出かけることがあるが、そのような状況でない場合は、普段通りの履物を履いて出かけることが一般的である。しかし、天気予報に反して大雨が降った場合に、傘をさすことで衣服については雨に濡れることをある程度防止することが出来るが靴は濡れてしまうことが多く、特に、自転車やバイクに乗っているときは、より一層雨に濡れてしまうことがある。
【０００３】
本発明に関連する技術として、例えば、特許文献１には、引き伸ばすことによって靴の外面に装着されるように伸縮性を有する防水性の柔軟な薄肉材で一体に形成され、靴の前部を覆うカバー部と、靴の踵が差し通される踵通し用開口部を具備して成ることを特徴とする雨天用靴カバーが開示されている。
【先行技術文献】
【特許文献】
【０００４】
【特許文献１】特開平１１−１５５６０１号公報
【発明の概要】
【発明が解決しようとする課題】
【０００５】
特許文献１の構成によれば、雨で靴が濡れてしまうことを抑制することができる。しかしながら、特許文献１の構成では、靴先から嵌めこんで踵部分まで引き伸ばして装着する必要があり装着に手間取ってしまうという課題がある。
【０００６】
本発明の目的は、より簡単に装着することを可能とする紐靴用雨除け器具を提供することである。
【課題を解決するための手段】
【０００７】
本発明に係る紐靴用雨除け器具は、足の甲に対応する靴のアッパー部に設けられる複数の鳩目を通り、最上部に設けられる一対の鳩目上で結び目が形成される紐を有する紐靴に着脱可能な紐靴用雨除け器具であって、前記足の甲を覆う雨除カバー部材と、前記雨除カバー部材と前記アッパー部との間に位置するように前記雨除カバー部材に固定される固定部と、前記紐に引掛けられる引掛け部とを有する係合部と、を備え、前記雨除カバー部材は、通常時は前記引掛け部を覆い、前記引掛け部を前記紐に引掛ける際に前記引掛け部を露出可能に回動する回動部を有することを特徴とする。
【０００８】
また、本発明に係る紐靴用雨除け器具において、前記結び目がリボン結びの結び目である場合に前記引掛け部は、前記結び目を避けつつ前記リボン結びのリボン部に引掛けられる第１引掛け部と、前記アッパー部に跨るように設けられた一対の鳩目に通されたクロス部に引掛けられる第２引掛け部と、を備えることが好ましい。
【０００９】
また、本発明に係る紐靴用雨除け器具において、前記雨除カバー部材は、前記アッパー部を覆う領域のうち回動部以外の領域において突起部を有し、前記係合部は、前記突起部が嵌合される貫通孔を有していることが好ましい。
【発明の効果】
【００１０】
本発明によれば、引掛け部を紐に引掛ける際に、雨除カバー部材を回動させて引掛け部を露出させた状態にすることができる。これにより、ユーザーは、引掛け部を目で確認しながら紐に引掛けることができるため、簡単に装着することができる。
【図面の簡単な説明】
【００１１】
【図１】本発明に係る実施形態において、運動靴や革靴などの紐靴の雨除けとして用いられる紐靴用雨除け器具の斜視図である。
【図２】本発明に係る実施形態において、紐靴に紐靴用雨除け器具を装着した様子を示す図である。
【図３】本発明に係る実施形態において、紐靴用雨除け器具の変形例の図である。
【図４】本発明に係る実施形態において、紐靴用雨除け器具の変形例の斜視図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、運動靴や革靴などの紐靴２の雨除けとして用いられる紐靴用雨除け器具１０の斜視図である。図２は、紐靴２に紐靴用雨除け器具１０を装着した様子を示す図である。ここで、紐靴２は、運動靴や革靴など靴紐４を複数の鳩目６に通し、最上部に設けられる一対の鳩目６上で結び目が形成される靴である。靴紐４の結び方は、様々な結び方が考えられるが、ここではリボン結びであるものとして説明するが、これに限定されない。
【００１４】
紐靴用雨除け器具１０は、雨除カバー部材１２と、係合部１４とを備える。紐靴用雨除け器具１０は、雨天時に紐付きの運動靴や革靴などの紐靴２に装着して、紐靴２が雨に濡れてしまうことを防止する器具である。
【００１５】
雨除カバー部材１２は、本体部１２ａと、回動部１２ｂとを備える。雨除カバー部材１２は、防水性と柔軟性に優れた材質、例えば、ゴム部材を用いてもよい。また、好適な部材を選択した上で、さらに防水加工処理や撥水加工処理を施すことも好ましい。
【００１６】
本体部１２ａは、雨除カバー部材１２の下部側に設けられ、紐靴２のつま先部分から足の甲の部分全体の総称であるアッパー部７を覆うような形状を有している。本体部１２ａの高さは、紐靴２に装着した際に、下端部が、地面と接触する部分のソールであるアウトソールにかからない程度の高さに設定されている。
【００１７】
本体部１２ａの裏面側には、係合部１４の貫通孔２４と係合するための突起部１２ｃが形成されている。突起部１２ｃは、端部の断面積がやや大きくなるようなキノコ型の形状を有している。なお、図２（ａ）の拡大図には、突起部１２ｃと貫通孔２４とを嵌合させる前後の断面図を示している。
【００１８】
回動部１２ｂは、雨除カバー部材１２の上部側に設けられ、靴紐４が鳩目６に通されて形成されるクロス部４ｃを覆うような形状を有している。回動部１２ｂの下部は、本体部１２ａの上部と重なるように設けられ、蝶番２６を介して本体部１２ａと連結されている。
【００１９】
そして、回動部１２ｂは、図２（ａ）に示されるように、蝶番２６を回動軸として回動することができる。これにより、回動部１２ｂが開いた際に、引掛け部２０を露出させた状態とすることができる。そして、回動部１２ｂを開くことで、容易に手を挿入することができ、突起部１２ｃと貫通孔２４とを嵌合させることができる。
【００２０】
係合部１４は、引掛け部２０と、固定部２２とを備え、紐靴２のアッパー部７と雨除カバー部材１２との間に挟持されるように設けられている。係合部１４は、略鍬形形状を有しており、固定部２２から先端側に延伸し、先端側で二股に分かれた鍬のような外形を有している。係合部１４は、防水性と柔軟性に優れた材質、例えば、ゴム部材を用いて構成することができる。
【００２１】
固定部２２は、本体部１２ａの裏面側の略中央部において、紐靴２のアッパー部７との間に挟持されるように本体部１２ａに固定されている。固定部２２は、長手方向に沿って所定の間隔をおいて厚み方向（上下方向）に貫通する２つの小さな貫通孔２４が形成されている。なお、上記のように、本体部１２ａの突起部１２ｃと固定部２２の貫通孔２４とは嵌合させることで係合部１４を位置決めして固定させることができる。また、このように突起部１２ｃと貫通孔２４とが嵌合可能な構造となっているため、本体部１２ａと係合部１４が取り外し可能となり、係合部１４を紐靴２に取り付けたまま、本体部１２ａを有する雨除けカバー部材１２のみを取り外し、左右重ねてコンパクトに鞄等に収納することが出来る利点がある。
【００２２】
引掛け部２０は、本体部１２ａの裏面側の略中央部において、紐靴２のアッパー部７との間に挟持されるように本体部１２ａに固定されない状態で設けられている。引掛け部２０は、紐靴２を引っ掛ける機能を有している。引掛け部２０は、第１引掛け部１６と、第２引掛け部１８とを備える。
【００２３】
第１引掛け部１６は、第２引掛け部１８よりも先端側に設けられ、途中から所定の間隔をあけて二股に分岐して、各分岐先で略コの字に折り曲げられて形成されたフック部１６ａを有している。
【００２４】
２つのフック部１６ａの間に形成される空間領域１６ｂには、図２（ｂ）に示されるように、靴紐４のリボン結びの結び目４ａが挿入され、フック部１６ａにはリボン部４ｂが挿入されるフック部１６ａがフックとして機能する。
【００２５】
第２引掛け部１８は、階段状の複数の凹凸が形成されている。第２引掛け部１８は、先細りの山型形状を有する山部１８ａと、山部１８ａよりも一段低い位置に形成される第１谷部１８ｂと、第１谷部１８ｂよりもさらに一段低い位置に形成され第１谷部１８ｂよりも谷幅が狭い第２谷部１８ｃとを備える。靴紐４のクロス部４ｃは、一旦、第１谷部１８ｂに入った後に、図２（ｂ）に示されるように、第２谷部１８ｃに係合されるフックとして機能する。
【００２６】
続いて、上記構成の紐靴用雨除け器具１０の作用について説明する。ユーザーは、天候にかかわらず、折り畳み傘と同様に、紐靴用雨除け器具１０を鞄などに予め収納する。そして、雨天時に運動靴などの紐靴２に紐靴用雨除け器具１０を装着する。
【００２７】
ユーザーは、雨除カバー部材１２を紐靴２のアッパー部７に位置させる。そして、回動部１２ｂの上部に指を掛けて、図２（ａ）に示されるように蝶番２６を回動軸として回動部１２ｂを回動させる。これにより、回動部１２ｂに覆われていた引掛け部２０が露出状態となり、ユーザーは目で確認しながら引掛け部２０を操作することができるため、簡単に装着できるという利点がある。
【００２８】
そして、第２引掛け部１８を指で摘み、第２引掛け部１８をつま先方向に動かしながら、靴紐４のクロス部４ｃを一旦、第１谷部１８ｂに係合させ、その後、谷幅の狭い第２谷部１８ｃに係合させる。
【００２９】
次に、第１引掛け部１６を指で摘み、足首側に引っ張って、靴紐４のリボン結びの結び目４ａを空間領域１６ｂに逃がしつつ、リボン部４ｂをフック部１６に引掛ける。これにより、図２（ｂ）に示されるように、クロス部４ｃとリボン部４ｂとの間の距離が縮まるような方向に力ｆが加わり、紐靴用雨除け器具１０にしっかりと固定することができる。なお、ここでは、第２引掛け部１８を引掛けた後に第１引掛け部１６を引掛けるものとして説明したが、第１引掛け部２０を先に引掛けた後に、第２引掛け部１８を引掛けてもよい。
【００３０】
そして、雨除カバー部材１２は、防水性に優れているため、雨天時であっても染みこむことはないため、靴紐４が雨に濡れてしまうことを防止することができるという効果がある。
【００３１】
次いで、紐靴用雨除け器具１０の変形例である紐靴用雨除け器具１１について説明する。図３は、紐靴２に紐靴用雨除け器具１１を装着した様子を示す図である。
【００３２】
紐靴用雨除け器具１１は、雨除カバー部材１２の本体部１２ａと紐靴２のアッパー部７との間に蝶番２６の近傍に幅方向に渡って設けられる突起部１３と、雨除カバー部材１２の本体部１２ａと紐靴２のアッパー部７との間につま先側に所定の間隔をおいて設けられる一対の突起部１５とを備えている。これにより、雨除カバー部材１２とアッパー部７との間に空間を形成することができる密着することがないため、装着された雨除カバー部材１２を簡単に取り外すことができる。
【００３３】
また、紐靴用雨除け器具１１の雨除カバー部材１２は、図３（ａ）に示されるように本体部１２ａの下端部全域にわたって膨らみ部１７が形成されている。これにより、雨が滴り落ちた際に水滴をより外側に逃がすことができるという利点がある。
【００３４】
紐靴用雨除け器具１１は、紐靴用雨除け器具１０とは異なり、紐靴２の踵部分を覆う踵部３０と、踵部３０と雨除カバー部材１２とを連結する連結ベルト部３４と、踵部３０を紐靴２の踵部分に装着するために指で挟むための摘み部３２と、を備えている。連結ベルト部３４は、図３に示されるように、本体部１２ａに形成された開口部を通って固定される。これにより、雨除カバー部材１２と踵部３０とが連結されることになる。
【００３５】
なお、踵部３０も雨除けカバー部材１２と同様に防水性と柔軟性にされた材質にすることにより、アッパー部７だけでなく、踵部分が濡れてしまうことを防止することができる。また、雨除カバー部材１２と踵部３０とが連結されて紐靴２の全周を覆うようになるため、雨除カバー部材１２は引掛け部２０の固定される場合に比べてしっかりと固定することができるという利点がある。
【００３６】
次に、紐靴用雨除け器具１０の変形例である紐靴用雨除け器具４０について説明する。図４は、運動靴や革靴などの紐靴２の雨除けとして用いられる紐靴用雨除け器具４０の斜視図である。
【００３７】
紐靴用雨除け器具４０と紐靴用雨除け器具１０との相違は、係合部５０のみであり、その他はほぼ同一であるため、係合部５０の説明を中心に行い、その他の説明は省略する。
【００３８】
係合部５０は、引掛け部５３と固定部２３とを備え、紐靴２のアッパー部７と雨除カバー部材１２との間に挟持されるように設けられている。係合部５０は、略鍬形形状を有しており、固定部２３から先端側に延伸し、先端側で二股に分かれた鍬のような外形を有している。係合部５０は、防水性と柔軟性に優れた材質、例えば、ゴム部材等を用いて構成することができる。
【００３９】
なお、固定部２３は、上記紐靴用雨除け器具１０の係合部１４の固定部２２の幅が大きくなったものであり、ほぼ同様の構成であるため詳細な説明は省略する。
【００４０】
引掛け部５３は、本体部１２ａの裏面側の略中央部において、紐靴２のアッパー部７との間に挟持されるように本体部１２ａに固定されない状態で設けられている。引掛け部５３は、紐靴２を引っ掛ける機能を有している。引掛け部５３は、第１引掛け部５２と、第２引掛け部５４とを備える。
【００４１】
第１引掛け部５２は、第２引掛け部５４よりも一方側に設けられ、途中から所定の間隔をあけて二股に分岐して、各分岐先で略コの字に折り曲げられて形成されたフック部５２ａを有している。
【００４２】
２つのフック部５２ａの間に形成される空間領域５２ｂには、靴紐４のリボン結びの結び目４ａが挿入され、フック部５２ａにはリボン部４ｂが挿入されるフック部５２ａがフックとして機能する。
【００４３】
第２引掛け部５４は、略Ｊの字を描き、釣り針のような引掛け構造を有している。第２引掛け部５４は、クロス部４ｃに引掛けるように取り付けられる。
【００４４】
続いて、上記構成の紐靴用雨除け器具４０の作用について説明する。ユーザーは、雨除カバー部材１２を紐靴２のアッパー部７に位置させる。そして、回動部１２ｂの上部に指を掛けて、蝶番２６を回動軸として回動部１２ｂを回動させる。これにより、回動部１２ｂに覆われていた引掛け部５３が露出状態となり、ユーザーは目で確認しながら引掛け部５３を操作することができるため、簡単に装着できるという利点がある。
【００４５】
そして、第２引掛け部５４を指で摘み、第２引掛け部５４をつま先方向に動かしながら、靴紐４のクロス部４ｃに係合させる。そして、第１引掛け部５２を指で摘み、足首側に引っ張って、靴紐４のリボン結びの結び目４ａを空間領域５２ｂに逃がしつつ、リボン部４ｂをフック部５２ａに引掛ける。
【００４６】
これにより、クロス部４ｃとリボン部４ｂとの間の距離が縮まるような方向に力ｆが加わり、紐靴用雨除け器具４０にしっかりと固定することができる。なお、ここでは、第２引掛け部５４を引掛けた後に第１引掛け部５２を引掛けるものとして説明したが、第１引掛け部５２を先に引掛けた後に、第２引掛け部５４を引掛けてもよい。
【００４７】
雨除カバー部材１２は、防水性に優れているため、雨天時であっても染みこむことはないため、靴紐４が雨に濡れてしまうことを防止することができるという効果がある。
【符号の説明】
【００４８】
２  紐靴、４  靴紐、４ａ  結び目、４ｂ  リボン部、４ｃ  クロス部、６  鳩目、７アッパー部、１０，１１  紐靴用雨除け器具、１２  雨除カバー部材、１２ａ  本体部、１２ｂ  回動部、１２ｃ  突起部、１３  突起部、１４  係合部、１５  突起部、１６  第１引掛け部、１６ａ  フック部、１６ｂ  空間領域、１７  膨らみ部、１８  第２引掛け部、１８ａ  山部、１８ｂ  第１谷部、１８ｃ  第２谷部、２０  引掛け部、２２  固定部、２４  貫通孔、２６  蝶番、３０  踵部、３２  摘み部、３４  連結ベルト部、４０  器具、５０  係合部、５２  第1引掛け部、５２ａ  フック部、５２ｂ  空間領域、５３  引掛け部、５４  第２引掛け部。
【図１】
2019088520.tif 000003
【図２】
2019088520.tif 000004
【図３】
2019088520.tif 000005
【図４】
2019088520.tif 000006